(57)【要約】【課題】  分離流によって生じ得る伝熱抵抗の増加を抑制して冷却効率を飛躍的に向上させることができ、また、サセプタ表面における温度差を好適に解消することができる直接冷却方式のサセプタ冷却システムを提供する。【解決手段】  サセプタ２内の冷媒流路３に、気液混相の冷凍機冷媒が直接供給されるように構成し、サセプタ２が蒸発器として機能するように構成し、サセプタ２内の冷媒流路３には、伝熱面に対する液相冷媒の接触面積を増大させるための手段として、板状の突起物２９が設けられていることを特徴とする。【選択図】  図１
2005083593.tif 000002
【特許請求の範囲】
【請求項１】
サセプタ内の冷媒流路に、気液混相の冷凍機冷媒が直接供給されるように構成され、
前記サセプタが、冷凍機冷媒の蒸発器として機能するように構成され、
前記冷媒流路に、伝熱面に対する液相冷媒の接触面積を増大させるための手段が設けられていることを特徴とするサセプタ冷却システム。
【請求項２】
伝熱面に対する液相冷媒の接触面積を増大させるための手段が、板状の突起物であることを特徴とする、請求項１に記載のサセプタ冷却システム。
【請求項３】
前記突起物は、上端面が冷媒流路の天井面に接するように配置される一方、その下端面と冷媒流路の床面との間に、所定のスペースが形成されるように配置されていることを特徴とする、請求項２に記載のサセプタ冷却システム。
【請求項４】
伝熱面に対する液相冷媒の接触面積を増大させるための手段が、多孔偏流板であることを特徴とする、請求項１に記載のサセプタ冷却システム。
【請求項５】
前記多孔偏流板は、小孔の出口側の位置が、入口側よりも高くなるような状態で冷媒流路内に配置されていることを特徴とする、請求項４に記載のサセプタ冷却システム。
【請求項６】
前記多孔偏流板は、冷媒の偏流角度が３０〜６０°の範囲となるように、冷媒流路内に配置されていることを特徴とする、請求項５に記載のサセプタ冷却システム。
【発明の詳細な説明】
【技術分野】
【０００１】
本発明は、半導体ウェーハの製造工程（プラズマによるドライエッチング、ビア開孔、クリーニング、ＣＶＤによるビア内面被覆等）、更に、液晶（ＬＣＤ）、Ｅｌｅｃｔｒｏ−Ｌｕｍｉｎｅｓｃｅｎｃｅ（ＥＬ）、太陽電池などの製造工程における発生熱除去技術に関し、特に、サセプタ上に載置したウェーハ等の被処理体を効率良く、均一に冷却することができるサセプタ冷却システムに関する。
【背景技術】
【０００２】
半導体ウェーハのエッチング処理（ドライエッチング処理、化学気相成長による皮膜形成、或いは、ウェーハ表面のプラズマクリーニング等）を行う装置において、被処理体であるウェーハを支持するサセプタは、本来の機能として、静電チャック機能と、下部電極としての機能を有している。
【０００３】
更に、サセプタは、上記のような機能のほか、冷却機能をも有していることが必要となり、しかも、単にウェーハを冷却できるというだけでなく、表面温度が均一となるように冷却できることが必要となる。エッチング処理が行われる場合、サセプタの上方に設置されたプラズマ発生源と、サセプタ上面に配置された下部電極との間にプラズマが発生し、サセプタ上に保持されたウェーハ表面にイオン等が激突することによって、ウェーハ表面は加熱されることになるが、製品の歩留まりを向上させるためには、表面温度が均一となるように冷却しなければならないからである。
【０００４】
従来のサセプタにおいては、このような冷却機能は、サセプタ内部に形成された冷媒流路と、この流路内へ冷媒を供給し、循環させるための冷媒供給装置（チラー等）とからなる冷却システムによって実現されており、また、冷却システムを構成する冷媒供給装置としては、「二段冷却方式」のものが採用されている。
【０００５】
二段冷却方式の冷媒供給装置は、基本的には、二種類の冷媒（一次冷媒と二次冷媒）、蒸気圧縮型冷凍機、及び、冷凍機の構成要素である熱交換器（蒸発器）等によって構成され、一次冷媒を、冷凍機によって冷却しつつ閉鎖管路内にて循環させ、熱交換器（蒸発器）において一次冷媒と二次冷媒とを熱交換させて二次冷媒を冷却し、この二次冷媒によって対象物を冷却するようになっている。
【０００６】
つまり、従来のサセプタにおいては、二次冷媒が冷媒流路に供給され、二次冷媒によってウェーハが冷却されるようになっている。尚、二段冷却方式の冷媒供給装置において使用される二次冷媒は、通常は液状であり、フッ素系不活性液体などの液状の冷媒（例えば、スリーエム社の「フロリナート」（商品名）等）が一般的である。一方、冷凍機内の一次冷媒としては、気液混相の冷媒（例えば、Ｒ４１０Ａ、Ｒ４０７Ｃ等のＨＦＣ系の冷凍機冷媒、ブタンなどの炭化水素冷凍機冷媒、二酸化炭素、或いは、アンモニア等）が、一般的に使用されている。
【発明の開示】
【発明が解決しようとする課題】
【０００７】
上述の通り、従来のサセプタに装備されている冷却システムは、殆どのものが二段冷却方式を採用しており、液状の冷媒が、サセプタ内の冷媒流路へ供給されるようになっているが、二段冷却方式の冷却システムにおいては、冷却対象となるウェーハが、二次冷媒を介して間接的に冷却されることになるため、必ずしも冷却効率が良いとは言えない。
【０００８】
そこで、本発明の発明者らは、サセプタの冷却システムとして、他の方式（例えば、直接冷却方式）を適用することによって、ウェーハの冷却効率を向上させることができるか否かについて研究を行った。
【０００９】
直接冷却方式は、冷凍機冷媒（二段冷却方式における一次冷媒）によって冷却対象物を直接冷却する方式である。サセプタの冷却システムにおいてこの方式を採用した場合、気液混相の冷凍機冷媒が、サセプタの冷媒流路へ直接供給されることになる。
【００１０】
この方法による場合、冷凍機冷媒を冷媒流路内にて沸騰させることによって、サセプタと冷媒との間の伝熱抵抗を小さくすることが可能となり（沸騰伝熱利用の効果）、これにより冷却効率を向上させることができ、これにより、ウェーハ表面における温度差を解消して、ウェーハを均一に冷却し、製品の歩留まりを向上させることができる。また、二次冷媒、ポンプ、及び、熱交換器等が不用となるため、二段冷却方式の従来装置と比較して装置構成をシンプルにすることができる。
【００１１】
このように、サセプタの冷却システムとして、直接冷却方式のものを適用した場合、「冷却効率の向上」をはじめとして、様々な効果を期待することができる。しかしながら、「直接冷却方式の冷却システムを備えたサセプタ」は、未だ実用化されるには至っていない。その理由は、サセプタの冷媒流路内に導入しようとする冷凍機冷媒が、「液状」ではなく、「気液混相」であるために、様々な問題（気液混相流特有の問題）が生じ、それらが障害となっているからである。
【００１２】
この点について具体的に説明すると、一般的なサセプタは、その上面にウェーハを保持するようになっており、サセプタ上面が水平となるように設置されている。従って、サセプタ内の冷媒流路は、導入された冷媒が水平方向に流下するように構成されている。このような冷媒流路に、気液混相の冷媒を導入すると、本来は気液混相状態のまま流下すべき冷媒が、上下層に分離して流下する（冷媒流路の床面側には液相冷媒が流れ、冷媒流路の天井面側には気相冷媒が流れる）という現象が生じる可能性がある。尚、このような流動形態を「層状流」、或いは、「波状流」と言い、これらを総称して「分離流」と言う。
【００１３】
このような現象が生じた場合、冷媒流路内スペースのうち、天井面（伝熱面として最も有効な面）に接するスペースが気相領域となり、気相冷媒が伝熱抵抗となってしまうことになり、その結果、沸騰伝熱利用の効果が打ち消されてしまう可能性がある。
【００１４】
このように、気液混相の冷媒をサセプタの冷媒流路に導入しようとする場合、分離流（層状流や波状流）という流動形態で冷媒が流下する可能性があり、冷媒流路内でこのような現象が生じると、熱伝達特性が不均一となり、その結果、冷却効率が低下し、サセプタ表面における温度差を有効に解消できないという問題がある。
【００１５】
本発明は、これらの問題を解決すべくなされたものであって、分離流によって生じ得る伝熱抵抗の増加を抑制し、サセプタ表面における温度差を好適に解消することができる、直接冷却方式のサセプタの冷却システムを提供することを目的とする。
【課題を解決するための手段】
【００１６】
本発明に係るサセプタ冷却システムは、サセプタ内の冷媒流路に、気液混相の冷凍機冷媒が直接供給されるように構成されていることを特徴としており、気液混相の冷凍機冷媒を冷媒流路に直接供給することによって、従来の二段冷却方式の冷却システムと比べ、被処理体を効率良く冷却することができる。
【００１７】
尚、冷媒流路内に供給される冷凍機冷媒としては、ＨＦＣ系の冷凍機冷媒、炭化水素冷凍機冷媒、二酸化炭素、或いは、アンモニアを使用することが好ましい。また、冷媒流路内において、冷凍サイクルの蒸発過程である「液相冷媒の蒸発」が行われるように構成し、サセプタを蒸発器として機能させることが好ましい。この場合、沸騰伝熱を利用してサセプタ乃至は被処理体（ウェーハ等）を直接冷却することができるので、二段冷却方式による従来のサセプタ冷却システムと比べ、冷却効率を飛躍的に向上させることができる。
【００１８】
また、サセプタ内の冷媒流路には、伝熱面に対する液相冷媒の接触面積を増大させるための手段が設けられていることが好ましい。尚、その手段としては、例えば、板状の突起物、或いは、多孔偏流板などを用いることができる。
【００１９】
板状の突起物を設ける場合には、その上端面が冷媒流路の天井面に接するように、かつ、その下端面と冷媒流路の床面との間に、所定のスペースが形成されるように配置することが好ましい。このような板状の突起物を設けた場合、分離流（例えば、層状流、波状流）という流動形態で冷媒が流下するような現象が生じた場合でも、気相冷媒による伝熱抵抗の増大を好適に抑制することができ、冷却効率を向上させることができる。
【００２０】
一方、多孔偏流板を設ける場合、小孔の出口側の位置が、入口側よりも高くなるような状態で冷媒流路内に配置することが好ましい。より具体的には、冷媒の偏流角度（小孔の軸線と冷媒流路の床面との角度）が３０〜６０°の範囲となるように多孔偏流板を設置することが好ましい。
【発明の効果】
【００２１】
上述の通り、本発明による場合、従来の二段冷却方式に代えて、直接冷却方式を採用し、気液混相の冷凍機冷媒をサセプタの冷媒流路内に直接供給し、被処理体を直接冷却することができるので、従来方式による場合と比べ、冷却効率を飛躍的に向上させることができる。
【００２２】
また、気液混相状態の冷媒をサセプタ内の冷媒流路に導入した場合、「気相冷媒による伝熱抵抗の増大」など、気液混相流特有の問題が生じる可能性があるが、本発明においては、液相冷媒の接触面積を増大させるための手段（板状の突起物、多孔偏流板等）を冷媒流路内に設けることにより、そのような問題を解消し、冷却効率の向上、被処理体の均一な冷却等の効果を期待することができる。
【発明を実施するための最良の形態】
【００２３】
以下、添付図面を参照しながら、本発明「サセプタ冷却システム」を実施するための最良の形態について説明する。
【００２４】
図１は、半導体ウェーハのエッチング装置に適用した本発明「サセプタ冷却システム１」の第１の実施形態の概略図である。このサセプタ冷却システム１は、基本的には、サセプタ２と、このサセプタ２内に形成された冷媒流路３と、この冷媒流路３に冷媒を供給する冷媒供給装置４とによって構成されている。尚、本発明のサセプタ冷却システム１は、直接冷却方式を採用しており、冷凍機冷媒（Ｒ４１０Ａ、Ｒ４０７Ｃ等のＨＦＣ系の冷凍機冷媒、ブタンなどの炭化水素冷凍機冷媒、二酸化炭素、或いは、アンモニアなど）が、冷媒供給装置４から冷媒流路３へ直接供給されるようになっている。
【００２５】
サセプタ２の冷媒流路３は、冷媒供給管９、及び、冷媒排出管１０を介して冷媒供給装置４と接続されており、冷媒供給装置４から供給される冷媒は、冷媒供給管９を通って冷媒流路３内に流入し、冷媒流路３内を流下しながら、沸騰伝熱（蒸発熱伝達）によってウェーハ１１の熱を吸収（冷却）し、その後、冷媒流路３から排出されて、冷媒排出管１０を通って再び冷媒供給装置４へと戻り、循環するようになっている。
【００２６】
冷媒供給装置４は、冷凍サイクルを成す基本的要素である圧縮機５、凝縮器６、膨張弁７、及び、ホットガスバイパス８によって構成されている。尚、冷凍サイクルを構成するには、これらの要素のほかに蒸発器が必要となるが、このサセプタ冷却システム１においては、蒸発器は冷媒供給装置４内には設けられておらず、後述するように、サセプタ２が蒸発器として機能するようになっている。
【００２７】
ここで、サセプタ２及び冷媒流路３の構造について詳細に説明する。図２は、図１に示したサセプタ２の水平断面の拡大図であり、図３は、垂直断面の拡大図である。
【００２８】
サセプタ２は、アルミニウム合金などの材料を加工することによって成形されており、図２及び図３に示されているように、円柱状の外観を呈するとともに、内側に環状の中空部分を有している。
【００２９】
尚、このサセプタ２の上面には、図３に示されているように、ウェーハ１１とほぼ同じ大きさに成形された電極シート１３が取り付けられている。この電極シート１３は、ポリイミド樹脂フィルムに銅箔などの導電膜を接着した構造となっており、下部電極として機能するほか、ウェーハ１１を吸着保持する機能（静電チャック機能）を有している。
【００３０】
サセプタ２の中心部には、ガス供給路１４が形成されている。このガス供給路１４を介して、電極シート１３の上方へヘリウムガスが供給され、ウェーハ１１と電極シート１３との間にガス層１５が形成されるようになっており、これにより、電極シート１３とウェーハ１１との間における接触熱抵抗が低減されるようになっている。
【００３１】
サセプタ２の内側に形成されている環状の中空部分は、サセプタ２の軸線を中心とする仮想円上、及び、その同心円上に配置された二枚のＣ字状の仕切板１６（内側仕切板１６ａ、外側仕切板１６ｂ）、及び、半径方向に延出する直状の仕切板１７によって仕切られ、これらにより、サセプタ２の内部には、三つの環状路（内側環状路１８ａ、中間環状路１８ｂ、外側環状路１８ｃ）からなる冷媒流路３が形成されている。
【００３２】
三つの仕切板のうち、直状の仕切板１７は、サセプタ２の中心側内壁１９から外周側内壁２０まで達し、更に、床面から天井面まで密に閉塞するように取り付けられており、内部に導入された冷媒が、この直状の仕切板１７を越えて周回方向へ流下することを阻止できるような構造となっている。
【００３３】
尚、図２において、２７はサセプタ２の支持軸、２１は、図１に示した冷媒供給管９に接続された冷媒流入口、また、２２は、冷媒排出管１０に接続された冷媒排出口である。冷媒流入口２１は、中心側内壁１９と直状の仕切板１７との接続部分に近い位置に開口しており、一方、冷媒排出口２２は、外周側内壁２０と直状の仕切板１７との接続部分に近い位置であって、直状の仕切板１７を挟んで、冷媒流入口２１とは反対側の位置に配置されている。
【００３４】
二枚のＣ字状の仕切板のうち、内側仕切板１６ａは、冷媒流入口２１に近い方の端部２３ａが直状の仕切板１７に接続され、反対側の端部２３ｂは、解放された状態となっている。一方、外側仕切板１６ｂは、冷媒排出口２２に近い方の端部２４ａが直状の仕切板１７に接続され、反対側の端部２４ｂは、解放された状態となっている。
【００３５】
従って、中心側内壁１９と内側仕切板１６ａとの間に形成された内側環状路１８ａと、内側仕切板１６ａと外側仕切板１６ｂとの間に形成された中間環状路１８ｂとは、連絡部２５（内側仕切板１６ａの解放された端部２３ｂと直状の仕切板１７との間に形成されたスペース）において連通し、外側仕切板１６ｂと外周側内壁２０との間に形成された外側環状路１８ｃと、中間環状路１８ｂとは、連絡部２６（外側仕切板１６ｂの解放された端部２４ｂと直状の仕切板１７との間に形成されたスペース）において連通した状態となっている。
【００３６】
尚、図２及び図３に示されているように、冷媒流路３を構成する内側環状路１８ａ、中間環状路１８ｂ、及び、外側環状路１８ｃには、伝熱フィン２８が、各環状路につきそれぞれ二枚ずつ、同心円上に配置されている。これらの伝熱フィン２８は、伝熱面積を増加させることによって伝熱効率を向上させるためのものであり、それらの上端はいずれも冷媒流路３の天井面に接し、下端は冷媒流路３の床面に接するように設置されている。
【００３７】
次に、図１、図２、及び、図３を用いて、本発明に係るサセプタ冷却システム１の作用について説明する。このサセプタ冷却システム１においては、前述したように、冷媒は、冷媒供給管９（図１参照）を介して、冷媒供給装置４からサセプタ２の冷媒流路３へと供給されるようになっている。そして、冷媒流路３内に導入された冷媒は、内側環状路１８ａ、中間環状路１８ｂ、及び、外側環状路１８ｃを順次流下して冷媒流路３から排出されることになる。
【００３８】
サセプタ２内に導入された冷媒が、このようにして冷媒流路３内を流下していく際、ウェーハ１１（図３参照）表面の入熱が、ガス層１５、電極シート１３、及び、サセプタ２の上部を経て、伝熱面（サセプタ２の天井面、内側仕切板１６ａ、外側仕切板１６ｂ、伝熱フィン２８、及び、サセプタ２の床面）から冷媒に伝わっていくことになる。
【００３９】
このとき、気液混相状態の冷媒のうち、液相の冷媒は、伝熱量に応じて沸騰、蒸発することになり、ウェーハ１１から伝導された熱を潜熱として吸収することになる。そして、当初は気液混相状態にて冷媒流路３内に導入された冷媒は、冷媒流路３内を流下する間に液相冷媒がすべて蒸発し、最終的には、気相状態にて冷媒排出口２２から排出される。
【００４０】
このように、冷媒流路３内においては、冷凍サイクルの蒸発過程である「液相冷媒の蒸発」が行われる。つまり、本発明のサセプタ冷却システム１においては、サセプタ２は、蒸発器として機能することになる。従って、沸騰伝熱を利用してサセプタ２乃至はウェーハ１１を直接冷却することができるので、二段冷却方式による従来のサセプタ冷却システムと比べ、冷却効率を飛躍的に向上させることができる。
【００４１】
尚、本実施形態においては、上述したようにサセプタ２が「蒸発器」を兼ねているため、「独立した装置としての蒸発器」は、このサセプタ冷却システム１には含まれていない。但し、サセプタ２における冷却温度の均一性を優先させるため、「独立した装置としての蒸発器」（サセプタ２を「第１の蒸発器」と考えた場合においては「第２の蒸発器」）を、このサセプタ冷却システム１に付加することもできる。
【００４２】
このような第２の蒸発器を別個に設けた場合、サセプタ２内の気相冷媒が過熱されることにより、サセプタ２の温度が部分的に上昇して、冷却温度の均一性が損なわれる、という問題を回避することができる。
【００４３】
より具体的に説明すると、気液混相状態で導入した冷媒を冷媒流路３内において完全に気化させると、その完全気化の時点からサセプタ２外へ排出されるまでの間においては、冷媒（気相状態）は、ウェーハ１１からの伝熱を潜熱として吸収することができず、伝熱量に応じて過熱されることになり、サセプタ２の温度がその部分だけ上昇してしまう可能性がある。
【００４４】
このような問題を回避するためには、冷媒排出口２２の直前で冷媒が完全に気化するように、気相冷媒と液相冷媒の割合を調節して冷媒流路３へ冷媒を導入することが必要となるが、正確なコントロールが要求されるほか、負荷の大きさ等、様々なコンディションの変化に左右されてしまう可能性があるため、そのような微妙な調節を行うことは極めて困難である。
【００４５】
一方、第２の蒸発器を別個に用意し、サセプタ２の下流側に設けた場合には、冷媒流路３内で冷媒を完全気化させるのではなく、冷媒流路３から排出させた後に、冷媒を完全気化させることができる。つまり、冷媒中に液相冷媒が僅かに残存した状態で、冷媒が冷媒流路３から排出されるように、気相冷媒と液相冷媒の導入割合を調節することができ（この場合、ある程度の変動を許容することができるので、調節に際して、正確なコントロールは要求されない。）、その結果、上記のような問題を好適に回避し、サセプタ２における冷却温度の均一化を図ることができる。
【００４６】
尚、本実施形態においては、冷媒流路内に、図４に示すような板状の突起物２９が多数配置されている。これらの突起物２９は、冷媒流路の伝熱面（天井面等）に対する液相冷媒の接触面積を増大させ、気相冷媒による伝熱抵抗の増大を抑制するための手段として機能するものである。
【００４７】
具体的に説明すると、これらの突起物２９は、図２及び図４に示すように、隣接する二つの伝熱フィン２８，２８の間、伝熱フィン２８と、外側仕切板１６ｂとの間、及び、伝熱フィン２８と、図示しない内側仕切板、外周側内壁、又は、中心側内壁との間に架設されている。
【００４８】
また、各突起物２９の高さ寸法は、冷媒流路３の高さ寸法よりも小さく設定されており、上端面２９ａが冷媒流路の天井面に接するように配置される一方、その下端面２９ｂは、冷媒流路の床面には接触せず、下端面２９ｂと冷媒流路の床面との間には、所定のスペースが形成されるような状態となっている。
【００４９】
また、各突起物２９は、冷媒の進行方向に所定のピッチ（サセプタの軸線を基準として４５°間隔）で、規則的に配置されている（尚、１０ｃｍ間隔、或いは、２２．５°間隔等とすることもできる。）。本発明においては、このように構成された突起物２９により、分離流（例えば、層状流、波状流）という流動形態で冷媒が流下するような現象が生じた場合でも、気相冷媒による伝熱抵抗の増大を好適に抑制することができ、冷却効率を向上させることができる。
【００５０】
より具体的に説明すると、冷媒流路中にこのような突起物２９が設置されている場合、流下する液相冷媒が、それらの突起物２９に衝突することによって冷媒流路の天井面に向かって拡散され、疑似環状流を形成することができ、伝熱面（天井面等）に対する濡れ面積（液相冷媒が伝熱面に接触する面積）が増大し、これにより、気相冷媒による伝熱抵抗の増大を好適に抑制することができる。その結果、冷却効率を向上させることができる。
【００５１】
次に、本発明「サセプタ冷却システム１」の第２の実施形態について説明する。本実施形態においては、第１の実施形態において説明した突起物２９（図４参照）の代わりに、図５に示すような多孔偏流板３０が冷媒流路内に設置されている。この多孔偏流板３０は、厚さ２ｍｍ程度のアルミニウム板を加工して成形されており、また、表面に対して垂直方向に穿たれた小孔３０ａ（孔径０．２５ｍｍ程度）が多数形成されている。
【００５２】
この多孔偏流板３０は、図４の突起物２９と同様に、冷媒の進行方向に所定のピッチ（サセプタの軸線を基準として４５°間隔）で、規則的に配置されている。尚、１０ｃｍ間隔、或いは、２２．５°間隔等とすることもできる。
【００５３】
また、この多孔偏流板３０は、図６（冷媒流路の横断面拡大図）に示すように、冷媒の流下方向（図６において矢印Ｄの方向）とは反対の方向に傾斜（サセプタの軸線に対して３０°傾斜）するように設置されている。尚、サセプタの軸線に対する傾斜角度は、３０〜６０°の範囲内で任意に設定することができる。
【００５４】
各小孔３０ａは、多孔偏流板３０の表面に対して垂直に穿たれているため、多孔偏流板３０をこのように傾斜させて設置した場合、各小孔３０ａは、入口側よりも、出口側の方が高い位置となり、各小孔３０ａの軸線は、冷媒流路の床面３ａに対して３０°上向きの状態となる。
【００５５】
従って、冷媒流路３内において、分離流（例えば、層状流、波状流）という流動形態で冷媒が流下するような現象が生じた場合でも、多孔偏流板３０に形成されている上向き状態（偏流角度：３０°）の小孔３０ａを通過させることにより、液相冷媒を上方側（冷媒流路３の天井面３ｂの方向）へ強制的に偏流させることができる。
【００５６】
このため、多孔偏流板３０の下流側においては、図６に示すように擬似環状流が形成されることになり、その結果、伝熱面（天井面３ｂ等）に対する液相冷媒の接触面積が増大し、気相冷媒による伝熱抵抗の増大を好適に抑制することができ、冷却効率を向上させることができる。
【００５７】
次に、本発明「サセプタ冷却システム１」について、本発明の発明者らが行った各種の実験の結果を、実施例１〜２として説明する。
【実施例１】
【００５８】
まず、実施例１として、図４に示したような突起物２９を冷媒流路３内に設置することによって、冷媒流路３の伝熱面（天井面等）に対する液相冷媒の接触面積を増加させることができるか、という点を確認すべく実験を行った。
【００５９】
この実験は、本発明の実施例として、サセプタ２内に、突起物２９を設置したサセプタ冷却システムのモデルを４機種（タイプＡ〜Ｄ）用意するとともに、比較例として、突起物２９を有しないモデルを１機種（タイプＸ）用意して行った。
【００６０】
尚、本発明の実施例として用意したモデル４機種（タイプＡ〜Ｄ）は、次表に示す通り、突起物２９についての仕様が僅かずつ異なっている。具体的には、タイプＡの仕様を基準とすると、タイプＢは、突起物２９の高さ寸法が基準よりも大きく設定され、タイプＣは、突起物２９の設置ピッチ（支持軸２７を基準とする角度）が基準よりも小さく、密に配置されている。また、タイプＤは、突起物２９の厚さ寸法が基準よりも大きく設定されている。
【００６１】
【表１】
2005083593.tif 000003
【００６２】
上記のような仕様のモデル（タイプＡ〜Ｄ、及び、タイプＸ）の冷媒流路３内にそれぞれ冷媒を供給し、内部に挿入した内視鏡により、冷媒の流動形態をそれぞれ観察した。また、その際、蛍光式の光ファイバ温度計により、ウェーハ表面の温度を複数箇所において測定し、支持軸２７を中心とする周方向（冷媒の進行方向）における温度差の最大値を計算するとともに、ウェーハ表面における到達温度（ウェーハ表面の複数箇所において測定された温度の算術平均値であって、比較例の到達温度を「１００」とした場合の相対値）を計算した。それらの結果を、次表に示す。
【００６３】
【表２】
2005083593.tif 000004
【００６４】
表２に示すように、突起物２９を有しない比較例のモデル（タイプＸ）においては、液相冷媒と気相冷媒とが上下に分離し（層状流）、伝熱面として最も有効な天井面に対し、液相冷媒がほとんど接触しない状態で冷媒が流下する、ということが判った。
【００６５】
一方、本発明のタイプＡにおいては、冷媒の流動形態は、部分的に環状流となり、伝熱面となる冷媒流路３の天井面に対し、液相冷媒が多少なりとも接触しつつ冷媒が流下する、ということが確認された。
【００６６】
また、本発明のタイプＢにおいては、冷媒は、環状流という流動形態で流下し、天井面に液相冷媒が接触する面積は、タイプＡよりも増加していることが確認された。更に、本発明のタイプＣにおいても、環状流という流動形態で冷媒が流下しており、天井面に液相冷媒が接触する面積は、タイプＢよりも更に増加していることが確認された。
【００６７】
本発明のタイプＤにおいては、天井面に液相冷媒が接触する面積は、タイプＢとほぼ同等で、冷媒は、環状流という流動形態で流下することが確認された。
【００６８】
また、このような流動形態の変化に伴い、本発明のモデル４機種（タイプＡ〜Ｄ）においては、比較例と比べていずれもウェーハ表面の温度差を小さくできることが確認された。更に、タイプＡ〜Ｄにおいては、到達温度をより低くできることが確認された。尚、突起物２９の高さ寸法を大きく設定したタイプＢ、突起物２９の設置ピッチを小さくしたタイプＣ、及び、突起物２９の厚さ寸法を大きく設定したタイプＤにおいては、それらの効果が、基準的な仕様のタイプＡと比較して、より顕著であることが確認された。
【００６９】
以上の実験結果より、図４に示したような突起物２９を冷媒流路３内に設置することによって、冷媒流路３の伝熱面（天井面等）に対する液相冷媒の接触面積を増加させることができることが判り、冷却効率向上という効果を期待できることが確認された。
【実施例２】
【００７０】
次に、実施例２として、図５に示したような多孔偏流板３０を冷媒流路３内に設置することによって、冷媒流路３の伝熱面（天井面等）に対する液相冷媒の接触面積を増加させることができるか、という点を確認すべく、実験を行った。
【００７１】
この実験は、本発明の実施例として、多孔偏流板３０を設置したモデルを３機種（タイプＥ〜Ｇ）用意するとともに、比較例として、多孔偏流板３０を有しないモデルを１機種（実施例１の比較例としたタイプＸと同一機）用意して行った。
【００７２】
尚、本発明の実施例として用意したモデル３機種（タイプＥ〜Ｇ）は、次表に示す通り、多孔偏流板３０についての仕様が僅かずつ異なっている。具体的には、タイプＥの仕様を基準とすると、タイプＦは、多孔偏流板３０の偏流角度（小孔３０ａの軸線と、冷媒流路３の底面との角度）が基準よりも大きく設定され、タイプＧは、多孔偏流板３０の設置ピッチ（支持軸２７を基準とする角度）が基準よりも小さく、密に配置されており、また、偏流角度は、基準値よりも若干小さくなっている。
【００７３】
【表３】
2005083593.tif 000005
【００７４】
上記のような仕様のモデル（タイプＥ〜Ｇ、及び、タイプＸ）の冷媒流路３内にそれぞれ冷媒を供給し、内部に挿入した内視鏡により、冷媒の流動形態をそれぞれ観察した。また、その際、蛍光式の光ファイバ温度計により、ウェーハ表面の温度を複数箇所において測定し、支持軸２７を中心とする周方向（冷媒の進行方向）における温度差の最大値を計算するとともに、ウェーハ表面における到達温度（ウェーハ表面の複数箇所において測定された温度の算術平均値であって、比較例の到達温度を「１００」とした場合の相対値）を計算した。それらの結果を、次表に示す。
【００７５】
【表４】
2005083593.tif 000006
【００７６】
表４に示すように、本発明のタイプＥにおいては、多孔偏流板３０を通過する際、液相冷媒が、天井面の方向へ強制的に偏流され、流動形態は、部分的に環状流となり、伝熱面として最も有効な天井面に対し、液相冷媒が多少なりとも接触しつつ冷媒が流下する、ということが確認された。
【００７７】
また、本発明のタイプＦにおいては、冷媒は、環状流という流動形態で流下し、天井面に液相冷媒が接触する面積は、タイプＥよりも増加していることが確認された。更に、本発明のタイプＧにおいても、環状流という流動形態で冷媒が流下しており、天井面に液相冷媒が接触する面積は、タイプＥよりも増加していることが確認された。
【００７８】
また、このような流動形態の変化に伴い、本発明のモデル３機種（タイプＥ〜Ｇ）においては、比較例と比べていずれもウェーハ表面の温度差を小さくできることが確認された。更に、タイプＥ〜Ｇにおいては、到達温度をより低くできることが確認された。尚、多孔偏流板３０の偏流角度を大きく設定したタイプＦ、及び、多孔偏流板３０の設置ピッチを小さく設定したタイプＧにおいては、それらの効果が、基準的な仕様のタイプＥと比較して、より顕著であることが確認された。
【００７９】
以上の実験結果より、図５に示したような多孔偏流板３０を冷媒流路３内に設置することによって、冷媒流路３の伝熱面（天井面等）に対する液相冷媒の接触面積を増加させることができ、冷却効率向上という効果を期待できることが確認された。
【図面の簡単な説明】
【００８０】
【図１】本発明「サセプタ冷却システム１」の第１の実施形態の概略図。
【図２】図１に示したサセプタ２の水平断面の拡大図。
【図３】図１に示したサセプタ２の垂直断面の拡大図。
【図４】図１に示したサセプタ２の冷媒流路３内における突起物２９の配置状況の説明図。
【図５】本発明「サセプタ冷却システム１」の第２の実施形態の説明図。
【図６】本発明の第２の実施形態における冷媒流路３の横断面拡大図。
【符号の説明】
【００８１】
１：サセプタ冷却システム、
２：サセプタ、
３：冷媒流路、
４：冷媒供給装置、
５：圧縮機、
６：凝縮器、
７：膨張弁、
８：ホットガスバイパス、
９：冷媒供給管、
１０：冷媒排出管、
１１：ウェーハ、
１２：エッチング装置の処理室、
１３：電極シート、
１４：ガス供給路、
１５：ガス層、
１６：仕切板、
１６ａ：内側仕切板、
１６ｂ：外側仕切板、
１７：直状の仕切板、
１８ａ：内側環状路、
１８ｂ：中間環状路、
１８ｃ：外側環状路、
１９：中心側内壁、
２０：外周側内壁、
２１：冷媒流入口、
２２：冷媒排出口、
２３ａ，２３ｂ，２４ａ，２４ｂ：仕切板の端部、
２５，２６：連絡部、
２７：支持軸、
２８：伝熱フィン、
２９：突起物、
３０：多孔偏流板、
３０ａ：小孔、
【図１】
2005083593.tif 000007
【図２】
2005083593.tif 000008
【図３】
2005083593.tif 000009
【図４】
2005083593.tif 000010
【図５】
2005083593.tif 000011
【図６】
2005083593.tif 000012